(57)【特許請求の範囲】
【請求項１】
天井に支持されるとともにランプを支持する器具本体と、
前記器具本体に支持されるとともに前記ランプを覆うカバーとを有し、
前記カバーが前記器具本体に対して取付手段を介して支持される照明器具であって、
前記取付手段が、前記カバーを前記器具本体に対して回動可能に支持する第１取付部と、前記第１取付部に対して対向する部位において前記カバーを前記器具本体に固定する第２取付部とを備え、
前記第１取付部が、前記器具本体に設けられた板状の第１係合部材と、前記カバーに設けられて前記第１係合部材の一部を収容可能なスリットを有する第２係合部材と、前記第２係合部材に対して所定間隔をおいて前記カバーに設けられ、かつ、前記第１係合部材が面方向に沿って移動することにより前記スリットから抜け出す前に前記第１係合部材に設けられた突起を収容可能な筒状の第３係合部材とを有することを特徴とする照明器具。
【発明の詳細な説明】
【技術分野】
【０００１】
本発明は、光源を有する器具本体を天井等に直付けし、光源の前方を透光カバーによって覆う照明器具に関するものである。
【背景技術】
【０００２】
図６に示すように、従来の天井に直付けして用いる照明器具１００は、光源である蛍光ランプ１０１を内部に有する器具本体１０２を天井１０３に直に取付け、蛍光ランプ１０１の前方である器具本体１０２の開口を、透光カバー１０４によって覆っている（例えば特許文献１参照）。
【特許文献１】特開平６−７６６１４号公報（第１図）
【発明の開示】
【発明が解決しようとする課題】
【０００３】
ところで、前述したような従来の照明器具１００においては、一般に天井１０３に直接取り付けられる器具本体１０２の透光カバー１０４は、器具本体１０２の縁部に対して係止されて吊り下げられているため、透光カバー１０４が真上にずれると、器具本体１０２の縁部から透光カバー１０４が外れて、脱落するおそれがあるという問題があった。
【０００４】
本発明は、従来の問題を解決するためになされたもので、その目的は、透光カバーが真上にずれるような力が加わっても器具本体から脱落するおそれがない照明器具を提供することにある。
【課題を解決するための手段】
【０００５】
本発明の照明器具は、天井に支持されるとともにランプを支持する器具本体と、前記器具本体に支持されるとともに前記ランプを覆うカバーとを有し、前記カバーが前記器具本体に対して取付手段を介して支持される照明器具であって、前記取付手段が、前記カバーを前記器具本体に対して回動可能に支持する第１取付部と、前記第１取付部に対して対向する部位において前記カバーを前記器具本体に固定する第２取付部とを備え、前記第１取付部が、前記器具本体に設けられた板状の第１係合部材と、前記カバーに設けられて前記第１係合部材の一部を収容可能なスリットを有する第２係合部材と、前記第２係合部材に対して所定間隔をおいて前記カバーに設けられ、かつ、前記第１係合部材が面方向に沿って移動することにより前記スリットから抜け出す前に前記第１係合部材に設けられた突起を収容可能な筒状の第３係合部材とを有する構成を有している。
【０００６】
この構成により、天井に支持されている器具本体にカバーを取付ける際に、まず、カバーを持ち上げて水平に移動させることにより第２係合部材のスリットに第１係合部材の一部を収容させるので、カバーの落下を防止することができる。次いで、カバーを長手方向に移動させてカバーを器具本体に対して所定の位置に位置決めする際に、第１係合部材がスリットから抜け出す前に、第１係合部材の突起が第３係合部材に挿入されるので、カバーの落下を防止するとともに、突起が回動軸となって器具本体に対してカバーを回動可能に支持することができる。
【発明の効果】
【０００７】
本発明は、天井に支持されている器具本体にカバーを取付ける際に、まず、カバーを持ち上げて水平に移動させることにより第２係合部材のスリットに第１係合部材の一部を収容させるので、カバーの落下を防止することができる。次いで、カバーを長手方向に移動させてカバーを器具本体に対して所定の位置に位置決めする際に、第１係合部材がスリットから抜け出す前に、第１係合部材の突起が第３係合部材に挿入されるので、透光カバーが真上にずれるような力が加わってもカバーの落下を防止するとともに、突起が回動軸となって器具本体に対してカバーを回動可能に支持することができるという効果を有する照明器具を提供することができるものである。
【発明を実施するための最良の形態】
【０００８】
以下、本発明の実施の形態の照明器具について、図面を用いて説明する。
図１（Ａ）は本発明の実施の形態にかかる照明器具の斜視図、図１（Ｂ）は同じくカバーを明けた状態を示す斜視図、図２は取付手段を示す斜視図、図３（Ａ）は第１取付部の第１係合部材の端面図、図３（Ｂ）は同じく平面図、図４（Ａ）は第１取付部の第２係合部材および第３係合部材の正面図、図４（Ｂ）は図４（Ａ）中Ｂ−Ｂ位置の断面図、図５（Ａ）〜（Ｃ）はカバーの取付け手順を示す斜視図である。
【０００９】
図１（Ａ）および（Ｂ）に示すように、この照明器具１０は、ランプとしての蛍光ランプ２１を有する器具本体２０を天井１１等に直付けし、蛍光ランプ２１の前方をカバーとしての透光カバー３０によって覆っており、透光カバー３０は取付手段４０によって器具本体２０に対して取り外し可能に支持されている。すなわち、図１（Ｂ）に示すように、透光カバー３０は、取付手段４０として器具本体２０の一辺に設けられている第１取付部４１により開閉可能に支持されるとともに、取付手段４０として器具本体２０の他辺に設けられている第２取付部４３によって閉じた状態で固定されるようになっている。
【００１０】
図２に示すように、器具本体２０は、例えば矩形平板状のベースプレート２２を有しており、長手方向の両端部に蛍光ランプ２１を支持するとともに給電するソケット２３が取付けられている。ベースプレート２２の長辺に沿った両縁部は、各々鉛直下方へ曲げられて立壁２２ａ、２２ｂが形成されており、一方の立壁２２ａの先端（下端）は水平方向外側へ折り曲げられて、取付手段４０の第１取付部４１を構成する第１係合部材４２が形成されている。また、一方の立壁２２ａと対向する他方の立壁２２ｂの先端は、水平方向外側へ折り曲げられて、取付手段４０を構成する第２取付部４３が形成されている。なお、第１係合部材４２を別部材で形成して、立壁２２ａに取り付けるようにすることもできる。
【００１１】
一方、透光カバー３０は、例えば樹脂からなる矩形状の枠３１と、この枠３１に取付けられた例えば樹脂からなる透明又は半透明の透光性のパネル３２を有している。枠３１の内側には、取付手段４０の第１取付部４１を構成する金属製の第２係合部材４４および第３係合部材４５が所定間隔（図４（Ａ）中Ｌ４）で取付けられている。第２係合部材４４および第３係合部材４５は、別個の部材を枠３１の内側にインサート成型やボルト等で取付けることができるが、第２係合部材４４および第３係合部材４５を取付部材４６とともに一体で形成し、枠３１の内側に取付けるようにするのが望ましい。これにより、第２係合部材４４と第３係合部材４５の間隔を正確に保持することができるとともに、取付強度を確保することができる。
【００１２】
図３に示すように、第１取付部４１における第１係合部材４２は薄い金属板で形成されており、矩形状の本体４２ａの外側端部から器具本体２０の長手方向に沿って係止突起４２ｂが突出して設けられている。また、本体４２ａの中央部には、ネジ穴４２ｃが設けられている。なお、ベースプレート２２の立壁２２ａに複数個の第１係合部材４２が設けられている場合には、係止突起４２ｂの向きは、全て一方向へ突出するように設ける。
【００１３】
一方、図４に示すように、第１取付部４１における第２係合部材４４および第３係合部材４５は、細長い金属板である取付部材４６から厚み方向に立壁４４ａ、４５ａを折曲形成し、さらに取付部材４６と平行に折り曲げて支持部４４ｂ、４５ｂを形成して、立壁４４ａ、４５ａおよび支持部４４ｂ、４５ｂによって内部空間４４ｃ、４５ｃが形成されている。立壁４６ａの高さＤは、第１係合部材４２の係止突起４２ｂの幅Ｂ（図３（Ｂ）参照）および厚さｔよりも大きく、内部空間４４ｃ、４５ｃには第１係合部材４２が挿入可能であり、かつ、内部空間４４ｃ、４５ｃにおいて係止突起４２ｂが回転可能となっている。なお、支持部４４ｂ、４５ｂの中央部には、各々ネジ穴４４ｄ、４５ｄが設けられている。
【００１４】
また、第２係合部材４４の第３係合部材４５側端部には、立壁４４ａの一部および支持部４４ｂの一部を切欠いてスリット４４ｅが設けられており、第１係合部材４２を第２係合部材４４および第３係合部材４５と係合させる際に挿入する。従って、第２係合部材４４と第３係合部材４５との所定間隔Ｌ４は、第１係合部材４２をスリット４４ｅを介して第２係合部材４４と第３係合部材４５との間に挿入するために必要な間隔であり、所定間隔Ｌ４とスリット４４ｅの長さＬ５を加えた長さＬ３が、第１係合部材４２の長さＬ１より大きいものとなっている。
【００１５】
一方、第１係合部材４２が、第２係合部材４４と第３係合部材４５との間で回転可能となるためには、所定間隔Ｌ４は第１係合部材４２の本体４２ａの長さＬ２よりも大きく設定する必要がある。さらに、第１係合部材４２が回転する際に、第２係合部材４４と第３係合部材４５との間から脱落しないようにするためには、第１係合部材４２の長さＬ１は、所定間隔Ｌ４よりも大きくする必要がある。すなわち、Ｌ１＞Ｌ４＞Ｌ２である。
【００１６】
図１および図２に示すように、器具本体２０における前述した第１取付部４１と対向する立壁２２ｂに設けられている第２取付部４３は、第１取付部４１の第１係合部材４２と同様の構成をしている。すなわち、本体４３ａ（図３において括弧書きで表示）および係止突起４３ｂを有しており、本体４３ａにはネジ穴４３ｃが設けられている。なお、図２に示すように、係止突起４３ｂの向きは、第１係合部材４２の係止突起４２ｂの向きとは反対となっている。
【００１７】
次に、透光カバー３０の取付け手順について、図５（Ａ）〜（Ｃ）を参照して説明する。
図５（Ａ）に示すように、透光カバー３０を斜めにして第２係合部材４４のスリット４４ｅが側面に露出するようにした状態で、天井１１に取付けられている器具本体２０の第１係合部材４２の横まで持ち上げる。
【００１８】
次いで、透光カバー３０を水平に移動させて（図５（Ａ）中矢印方向）、図５（Ｂ）に示すように、第１係合部材４２の本体４２ａの一部を第２係合部材４４のスリット４４ｅから内部空間４４ｃに挿嵌する。この状態で透光カバー３０を下方へ回転させても、第１係合部材４２が第２係合部材４４のスリット４４ｅ内で係止されるので、透光カバー３０は脱落しない。
【００１９】
次いで、図５（Ｃ）に示すように、透光カバー３０を長手方向（図５（Ｃ）中矢印方向）に移動させて、第１係合部材４２を第２係合部材４４のスリット４４ｅから離脱させる。これにより、第１係合部材４２は、第２係合部材４４と第３係合部材４５との間で回転可能となるので、透光カバー３０は開閉可能となる。この際、第１係合部材４２がスリット４４ｅから抜け出す前に、第１係合部材４２の係止突起４２が第３係合部材４５の内部空間４５ｃに収容されるので、透光カバー３０を開閉させても落下しない。
最後に、透光カバー３０を閉じて、枠３１をネジにより第２取付部４３のネジ穴４３ｃに締結する。
【００２０】
以上、説明した照明器具１０によれば、天井１１に支持されている器具本体２０に透光カバー３０を取付ける際に、まず、透光カバー３０を持ち上げて水平に移動させることにより第２係合部材４４のスリット４４ｅに第１係合部材４２の一部を収容させるので、透光カバー３０の落下を防止することができる。次いで、透光カバー３０を長手方向に移動させて透光カバー３０を器具本体２０に対して所定の位置に位置決めする際に、第１係合部材４２がスリット４４ｅから抜け出す前に、第１係合部材４２の係止突起４２ｂが第３係合部材４５の内部空間に収容されるので、透光カバー３０が真上にずれるような力が加わっても透光カバー３０の落下を防止するとともに、係止突起４２ｂが回動軸となって器具本体２０に対して透光カバー３０を回動可能に支持することができる。
【００２１】
なお、本発明の照明器具は、前述した実施形態に限定されるものでなく、適宜な変形，改良等が可能である。
【図面の簡単な説明】
【００２２】
【図１】（Ａ）は本発明の実施の形態にかかる照明器具の斜視図、（Ｂ）は同じくカバーを明けた状態を示す斜視図
【図２】取付手段を示す斜視図
【図３】（Ａ）は第１取付部の第１係合部材の端面図、（Ｂ）は同じく平面図
【図４】（Ａ）は第１取付部の第２係合部材および第３係合部材の正面図、（Ｂ）は（Ａ）中Ｂ−Ｂ位置の断面図
【図５】（Ａ）〜（Ｃ）はカバーの取付け手順を示す斜視図
【図６】従来の照明器具を示す断面図
【符号の説明】
【００２３】
１０  照明器具
１１  天井
２０  器具本体
２１  蛍光ランプ（ランプ）
３０  透光カバー（カバー）
４０  取付手段
４１  第１取付部
４２  第１係合部材
４２ｂ  係止突起（突起）
４３  第２取付部
４４  第２係合部材
４４ｅ  スリット
４５  第３係合部材
【図１】
0005051910.tif 000002
【図２】
0005051910.tif 000003
【図３】
0005051910.tif 000004
【図４】
0005051910.tif 000005
【図５】
0005051910.tif 000006
【図６】
0005051910.tif 000007